(57)【要約】 【課題】全体管理の下でＩＤ読取器によりＩＤ要素のＩＤ情報が読取られるのみならず、他のＩＤ要素のＩＤ情報を読取りも可能とすることにより、システムのセキュリティー以外への機能の拡大とシステムの統合及び簡略化を図ことができる情報収集システムを提供する。【解決手段】自らは全体の管理システムにおけるＩＤ読取器によりＩＤ管理下に置かれる主ＩＤ要素であるが、必要な場合、その主ＩＤ要素により別途副ＩＤ要素の情報を読取り可能とすることにより目的を達成した。【選択図】図１
2007316874.tif 000002
【特許請求の範囲】
【請求項１】
ＩＤ管理システムのＩＤ読取器により主副ＩＤ要素の情報が読取られる管理システムであって、副ＩＤ要素の情報を主ＩＤ要素により読取り可能としたことを特徴とするＩＤ情報収集システム。
【請求項２】
ＩＤ管理システムのＩＤ読取器により主副ＩＤ要素の情報が読取られる管理システムであって、主副ＩＤ要素の情報を相互に読取り可能としたことを特徴とするＩＤ情報収集システム。
【請求項３】
主ＩＤ要素が読取った副ＩＤ要素のＩＤ情報を保存し、読出し可能としたことを特徴とする請求項１又は２に記載のＩＤ情報収集システム。
【請求項４】
副ＩＤ要素が読取った主ＩＤ要素のＩＤ情報を保存し、読出し可能としたことを特徴とする請求項１乃至３に記載のＩＤ情報収集システム。
【発明の詳細な説明】
【技術分野】
【０００１】
本発明は、ＩＤ要素をＩＤ認識のための情報発信のみならず、他のＩＤ要素との間で情報交換及び情報収集を図ることもできるＩＤ情報収集システムに関する。
【背景技術】
【０００２】
現在、セキュリティや作業効率の向上の観点から、ＩＤカードやＩＤタグに個々の情報を書き込み、それを管理システムのＩＤ読取器で読取るシステムが多用されている。例えばスーパーのレジ係のような現場では、レジに設置されたＩＤ読取器で物品のＩＤタグの情報を読取ることにより情報を収集してレジ作業に使用している。また人物がＩＤカードを携行し、出入口に設置されたＩＤ読取器により、通過する際にＩＤ情報を読取り、許可者のみが通過できるようにしているのもその一例である。
【０００３】
そしてそれは、一般に接触或いは非接触のＩＤ読取器（リーダー）で対象物のＩＤ情報を読取るが、ＩＤ読取器は所定ポイントに設置されていたり、ベルトなどで身体に装着して作業者が携行したりするものであるが、いずれにしても、ＩＤ要素とＩＤ読取器が対となり、対象物に応じて特化したそれぞれ異なるシステムを形成していた。
【０００４】
然るに通常、ＩＤ情報を収集される立場の作業員が、ある時は情報収集をする立場になることがあるが、そのような場合に現状では別途管理システムを構築し、別途にＩＤ要素を用いたり、或いはＩＤ要素の情報をサーバに問い合わせることにより情報を得たりしているのが実情であり、対応が煩雑になる欠点があった。
【特許文献１】特開２００４−１３７３５
【発明の開示】
【発明が解決しようとする課題】
【０００５】
そこで本発明は、全体管理システムのＩＤ読取器によるＩＤ要素のＩＤ情報の認識のみならず、ＩＤ要素相互間のＩＤ情報の読取りも可能とすることにより、システムの活用範囲の拡大と統合及び簡略化を図ろうとするものである。
【課題を解決するための手段】
【０００６】
本発明の主たる特徴は、自らは全体の管理システムにおけるＩＤ読取器によりＩＤ情報識別が読取られ、全体の管理下に置かれるＩＤ要素であるが、その主ＩＤ要素により別途副ＩＤ要素の情報を読取り可能としたことである。
【発明の効果】
【０００７】
本発明にあっては上述のように、全体の管理システムの下ではそのＩＤ読取器により主副ＩＤ要素はＩＤ情報が認識され監視されるが、主ＩＤ要素により別途副ＩＤ要素の情報を読取り可能として主ＩＤ要素が副ＩＤ要素に対してはいわばＩＤ読取器となって副ＩＤ要素の情報のチェックを行ってセキュリティーと誤認の防止の一助とすることができ、しかも主ＩＤ要素に副ＩＤ要素との接触状況を正確かつ確実に記録して、記録の漏れを防止することができる。
【０００８】
主副ＩＤ要素相互でＩＤ情報の読取りを可能とした場合には、総てのＩＤ要素にいわばＩＤ読取器の機能を追加することができて、従来要所要所にしか設置できなかった固定地点でのＩＤ読取器の盲点を補完できて、きめ細かなセキュリティー管理を行うことができる。
【０００９】
更に主副ＩＤ要素が読取ったＩＤ情報を保存し、読出し可能とした場合には、ＩＤ情報のみならず、主副ＩＤ要素相互間で何時誰と会ったかの記録が相互にできるため、その突合せにより精度の向上を図ることができる。
【発明を実施するための最良の形態】
【００１０】
（基本タイプ）
ＩＤ要素は、その使用形態に応じて、カード、タグ、リストバンド等任意の形態が可能であるが、一般的な個人カードで赤外線を用いたＩＤ要素（一般にＩＤカードと称されている）を例にして説明する。主ＩＤ要素１は図１、図２のように表示部分に所属や氏名等１１とともに写真１２が取込まれてカード部１ａと、発信部３を備えた通信部1ｂとより成る。両者は透明なホルダ１３のそれぞれのポケット１３ａ、１３ｂに収容され、作業者は紐やクリップなどで首に掛けたり衣服に装着したりして常時携行するものとする。発信部３は、ＣＰＵ、フォトＴｒのような受光部１５、赤外線ＬＥＤのような発光部１６、赤ＬＥＤのような表示部１７より成り、ボタン電池１８により駆動される。１９はスイッチ、２０は情報表示部である。
【００１１】
主ＩＤ要素１は、ＩＤ情報（データ）を管理するＩＤデータベース８により個人情報が管理されるもので、図３のように先ずサーバ又は端末機等の管理コンピュータに付設したカメラによりその個人の写真を撮り込んで画像情報を記録し、情報管理すると共に、所属、氏名等の個人情報の表示と併せて写真を印刷してカード部１ａを調製する。また、通信部１ｂは、作業者の個々に振り当てられたＩＤ情報を赤外線によりメモリに書込んで調製される。これにより、個人の表示とＩＤ情報の処理とを行なうカードタイプの主ＩＤ要素１が得られる。
【００１２】
通信部１ｂはこのようにして発信部３が設定されるもので、発信部３には情報書込み装置により各人に個別の割当てられた個々に異なる赤外線ＩＤ情報が書込まれる。以後、電池１８により所定の赤外線が常時或いは必要な時適宜に発信され、受信機により受信認識されると、発光ダイオードが点滅したり、音を発したりできる。受信機側で発光、発音しても良い。尚、赤外線の発信は、連続的に行なうこともできるが、間欠的に行なうこともできる。間欠的に行う時は、電池１８の消耗が少なくなるので長期の使用が可能となり、有利である。更にはスイッチ１９で必要な時のみ通電することもできる。
【００１３】
一方、副ＩＤ要素２は、主ＩＤ要素１と同等の機能を持たせるのが好ましいが、状況に応じて必要な機能を持たせれば良い。図１、２の例では、表示部分に所属や氏名等１１とともに写真１２が取込まれてカード部１ａと、発信部３を備えた通信部1ｂとより成る。両者は透明なホルダ１３のそれぞれのポケット１３ａ、１３ｂに収容され、患者Ｐは紐やクリップなどで首に掛けたり衣服に装着したりして常時携行するものとする。発信部３は、ＣＰＵ、フォトＴｒのような受光部１５、赤外線ＬＥＤのような発光部１６、赤ＬＥＤのような表示部１７より成り、ボタン電池１８により駆動される。副ＩＤ要素２の写真や情報の書込み、管理等は主ＩＤ要素１に準じて行われる。
【００１４】
ここで主、副ＩＤ要素１、２の操作は次のように行われる。副ＩＤ要素２の情報を取得したい時は、先ず主ＩＤ要素１のスイッチ１９を入れる。そうすると主ＩＤ要素１から副ＩＤ要素２のＩＤ情報を聞きに行く。この時、主、副ＩＤ要素１、２共電源が電池１８であって、受光部にＡＭＰ回路が入っていないので、主ＩＤ要素１を副ＩＤ要素２に近接して通信が行われる。
【００１５】
この操作により副ＩＤ要素２はそのＩＤ情報を主ＩＤ要素１に返す。主ＩＤ要素１は返信された副ＩＤ要素２のＩＤ情報を不揮発メモリＭに書込み保存する。同時に主ＩＤ要素１が持っている時計（リアルタイムクロック）ＲＴＣから通信時刻（日、時、分等）を読取って上記副ＩＤ要素２のＩＤ情報と共にメモリＭに保存する。書き込まれた情報を情報表示部２０で確認すればスイッチ１９を切る。このような操作を患者毎に繰り返して記録して行く。そして一日の回診業務が終われば朱ＩＤ要素１の保存情報をパソコンＰＣに入力し、パソコンＰＣのプログラムにより各種集計・管理処理を行う。
【００１６】
ここで図２の場合ではパソコンＰＣと主ＩＤ要素１との通信はＵＳＢを介して行っているが、その他メモリーカード、無線通信等を状況、必要に応じて任意のものを採用することができる。また時計ＲＴＣは常時通電のためのバックアップ電池２１で駆動される。また全体管理のＩＤ読取器４に対して主、副ＩＤ要素１、２は共に常時そのＩＤ情報が送信され、セキュリティは担保されるようになっている。
【００１７】
即ち、全体管理に関しては、このような主ＩＤ要素１及び場合によっては副ＩＤ要素２は次のような状況になる。図４はその代表的な状況の例を示すもので、（ａ）は通常の出入り口のチェック、（ｂ）は主ＩＤ要素１、１を携行するスタッフＳ、Ｓ相互、或いは副ＩＤ要素２、２を携行する患者Ｐ、Ｐ相互間の遭遇での認識、（ｃ）は主、副ＩＤ要素１、２を携行するスタッフＳと患者Ｐ間での相互認識、（ｄ）は主ＩＤ要素１を携行するスタッフＳによる事後処理の状況を示すもので、赤外線ＩＤデータベース８で管理することにより、コンピュータのセキュリティ監視システムを構成することができる。そして本発明では、ＩＤ要素が対等な作業者と作業者との間や、ＩＤ要素が主、副に区別される主導立場者と受身的な立場の者との間でのコミュニケーションを行うものである。
【００１８】
図５は主、副ＩＤ要素１、２の相互間、それらとサーバとの関連を示すもので、（ａ）は副ＩＤ要素２に受信機能がない場合、（ｂ）は副ＩＤ要素２にも受信機能を付加した概略を示し、情報の収集を何処までやるかに応じて種々に設定できる。その場合、必要に応じて副ＩＤ要素２の機能の選択をすることができる。以下、更に詳細に説明する。
【００１９】
（医者、医療ヘルパー等と患者の例：副ＩＤ要素の機能が少ないもの）
医師や看護師、医療ヘルパー等の医療スタッフＳが主ＩＤ要素１を携行し、患者Ｐが副ＩＤ要素２を携行するもので、いずれのＩＤ要素１、２も赤外線ＩＤデータベース８で情報が管理され、図４（ａ）のように受付や所定出入り口等に設置されるＩＤ読取器４によりＩＤがチェックされ、通行許可者のみ進入できるようにされている。
【００２０】
ここで主ＩＤ要素１は副ＩＤ要素２からのＩＤ情報の受信機能を有するもので、自ら発信したＩＤ情報はＩＤ読取器４で識別されるが、副ＩＤ要素２より発信したＩＤ情報は主ＩＤ要素１でも受信される。更に主ＩＤ要素１は副ＩＤ要素２から受信したＩＤ情報の他、必要に応じて日時や面接時間、処置内容等を併せて記録（タイムスタンプ）できるようになっている。勿論、副ＩＤ要素２より発信したＩＤ情報は全体管理のＩＤ読取器４で識別される。
【００２１】
図６は医療スタッフＳ、患者Ｐがそれぞれ腕に装着するリストバンド型の主、副ＩＤ要素１、２の一例を示すもので、この例では、主ＩＤ要素１は着脱自在な、或いは内蔵のメモリーＭを具備し、スイッチ１９、ＬＥＤ１６、情報表示部２０等を有する。一方副ＩＤ要素２はＲＦ−ＩＤタイプで、患者の手首に装着される。主ＩＤ要素１は内蔵の電池で駆動されるもので、スイッチ１９を入れることにより副ＩＤ要素２は発信部３により電磁波を発信し、その電磁波に至近距離で対応して起電されＩＤを主ＩＤ要素１に送信する。
【００２２】
図７は上記主、副ＩＤ要素１、２を使用し、医療スタッフＳがベッドＡ、Ｂ、Ｃ・・・の患者Ｐを回診して行く例で、医療スタッフＳ、患者Ｐは腕にそれぞれ図６の主、副ＩＤ要素１、２を巻き付けており、医療行為をする場合、先ずベッドＡに近付き、主ＩＤ要素１のスイッチ１９を入れ、患者Ｐの腕の副ＩＤ要素２に近付けてその情報を読取る。この時、必要に応じてＬＥＤや音で読取りを確認したり、情報表示部２０に表示された患者情報を確認することができる。読取った患者情報は主ＩＤ要素１に記録される。
【００２３】
順次回診が済めば医療スタッフＳは自分の執務室などに戻り、回診の後処理を行うもので、図８のようにパソコンＰＣのデータリーダー５によりメモリーＭの記録を読取り、パソコンＰＣの処理ソフトで何時何分にどの患者にどれくらいの時間の措置を行ったか確認しながら、医療行為の明細を記録する。
【００２４】
（薬剤師と患者の例）
また、薬剤師が主ＩＤ要素１を携行し、患者が副ＩＤ要素２を携行する場合、主ＩＤ要素１は双方向通信機能を有するもので、主ＩＤ要素１はメモリーＭを搭載し、副ＩＤ要素２から受信したＩＤ情報の他、必要に応じて投薬日時や投薬内容等を記録できるようにし、事後的にメモリーＭの情報をパソコンＰＣの処理ソフトで何時何分、誰にどのような応答をしたかを確認しながら投薬行為の明細を記録する。
【００２５】
（訪問看護の例）
訪問看護は老齢化が進み、益々増える状況にある。そして一般に、介護従事者Ｓと要介護人Ｐとの接触は１：１であることが多いので、その状況の記録内容が後々問題となることも少なくない。即ち、介護従事者Ｓの医療或いは介護措置の内容に応じて処置報告がなされ、それに基づいて医療費が支払われることになるが、介護従事者Ｓと要介護人Ｐとの間で認識が食い違う場合があってもそれを客観的に立証できるものがないのである。
【００２６】
そのような背景の下、介護従事者Ｓがどの要介護人Ｐを訪れたか、どの程度の時間滞在したか等、正しい情報を客観的に得るため、図９のように介護従事者Ｓが主ＩＤ要素１を腕に巻き付けて要介護人ＰをＡ、Ｂ、Ｃ・・・と順次巡回する。その際、要看護人Ｐはいずれも副ＩＤ要素２を腕に巻き付けるなどして携行しており、介護従事者Ｓが要介護人Ｐを訪問すれば、副ＩＤ要素２によりその個人情報を確認すると共に併せてタイムスタンプをして何時何分から介護訪問を行い、何時何分に帰ったかを記録する。これを予定軒数訪問後、オフィスに戻り、読取器５にてその訪問の記録をパソコンＰＣに取り込んで客観的に正確な経時記録を行い、適正な費用請求の一助とするものである。
【００２７】
（一般の会社等で社員と訪問者の場合の使用例）
図１０は会社のスタッフと訪問者の場合の概略を示すもので、スタッフＳ（社員やガードマン等）が主ＩＤ要素１を携行し、社外からの訪問者Ｐが副ＩＤ要素２を携行するも。主副ＩＤ要素１、２も赤外線ＩＤデータベース８で情報が管理され、受付や所定出入り口付近に設置されるＩＤ読取器４によりＩＤがチェックされ、通行許可者のみゲート２２が開き進入できるようにされている。
【００２８】
ここで主ＩＤ要素１は双方向通信機能を有するもので、メモリーＭを搭載し、副ＩＤ要素２のＩＤ情報の他、必要に応じて日時や面接時間等を記録できるようになっている。
【００２９】
（副ＩＤ要素も主ＩＤ要素と同等の機能を持たせた応用タイプ）
上記はいずれも主ＩＤ要素１のみを双方向通信可能、メモリーＭ搭載としたが、副ＩＤ要素２も双方向受信可能でメモリーＭ搭載とすることができる。その場合は、例えば社外訪問者に携行させて、何時どのポイントを通過したかをＩＤ読取器４でチェックする他、接触したスタッフの主ＩＤ要素１から受信したＩＤ情報をタイムスタンプと併記して、何時誰と会ったかを記録することができる。
【００３０】
（厳重なセキュリティを必要とする職場等の訪問者管理システムの例）
この場合、主ＩＤ要素１は受付けやガードマン等の職場側スタッフＳが携行する名札ＩＤで、訪問者ＰのＩＤ情報を記録するためのメモリーＭを搭載する。副ＩＤ要素２は訪問者Ｐが携行する名札ＩＤで、相手ＩＤ情報を記録するためのメモリーＭを搭載する。
【００３１】
訪問者Ｐは受付けで副ＩＤ要素２の発行を受ける。その副ＩＤ要素２には図３に概略を示す処理により個人情報、行き先情報、必要に応じて顔写真等が入力される。
【００３２】
この副ＩＤ要素２を携行した訪問者Ｐが要所でガードマン等の社内スタッフＳは携行する主ＩＤ要素１により、或いはその情報を要所要所のＩＤ読取器４により通行許可者であることや行き先を確認して通過を許容する。
【００３３】
訪問者Ｐは次に目的の社内スタッフＳと面談、打ち合わせ等必要な行動をする。その際、主、副ＩＤ要素１、２は互いに相手の情報を確認し、それぞれのメモリーＭに何時に誰と会ったかを記録する。
【００３４】
その後、社内スタッフＳは、ＬＡＮで管理サーバ８に接続されたパソコンＰＣにデータリーダー５でメモリーＭの情報を読取って送る。訪問者Ｐは予定が完了すれば受付けで副ＩＤ要素２を返却し、そのメモリーＭをチェックすることができる。
【００３５】
このようにすることにより、訪問者が施設の中を正常な時間の流れの中で移動をしたかどうか、うろうろしていなかったかどうか、予定のスタッフと面会したか等をそのタイムスタンプと共に克明に確認することができて、従来のような面談スタッフの確認の印鑑の捺印や、受付からの電話での連絡等を伴う煩雑な管理手続が不要となる。尚、メモリーＭの情報の読取りをデータリーダー５を介さず、主、副ＩＤ要素１、２のメモリーＭよりパソコンＰＣ又は管理サーバ８に送信できるようにしておくと、リアルタイムに情報の確認、管理が行える。
【００３６】
（マーケティングへの応用例）
例えばデパートで高級品販売を行う場合を図１１に基づき説明する。デパートＤでは絵画や美術工芸品、或いは高級時計や貴金属等の高額商品が展示販売されることが多い。これらの商品Ｇに警備と管理のために主ＩＤ要素１を取り付けておく。一方、顧客Ｃにその個人情報が書き込まれた副ＩＤ要素２を予め例えば上得意の特定の顧客に郵送しておいたり、入り口で手渡すなどしておき、携行して売り場に入ってもらう。売り場の出入口では主、副ＩＤ要素１、２により商品Ｇ及び顧客Ｃの出入がチェックされる。
【００３７】
売り場では、顧客Ｃは通常興味のある商品Ｇの前では立ち止まる時間が長くなり、入念に観察することになるが、興味のない商品Ｃの前ではその時間が短くなるが、その状況を商品Ｃにぶら下げた主ＩＤ要素１のメモリーＭに記録され、必要に応じて管理サーバ８に送信記録される。この場合、副ＩＤ要素２にスイッチを設け、興味のある商品Ｃの前でそのスイッチを入れてもらうようにしても良い。
【００３８】
また、顧客Ｃの副ＩＤ要素２には例えば顧客の過去の買い物情報からの顧客ランクも個人情報として入力しておくことができる。この場合、顧客にランクに応じた割引プライスを表示窓に数値表示するようにすることができる。興味のある商品を見つけ、この商品がその顧客の場合、いくらになるのか知りたければ、商品の前で副ＩＤ要素２のスイッチを入れると、その顧客のランクに対応した値引き価格や割引率が表示されることになる。レジにおいても、商品と顧客の情報のチェックにより、その割引価格により取引が行われる。
【００３９】
その他、デパートではどの顧客がどの商品に興味を示したのかを分析してマーケティング情報として以後の商品案内の送付や催し物の案内の基準設定などに活用することもできる。
【産業上の利用可能性】
【００４０】
医療現場で多数の患者を処置した場合、その医療行為を記録し、報告することにより報酬が支払われることになる。しかしながら実際の医療現場では医療優先のため、事後の記録が忘れがられることがあり、その漏れは統計的に４〜５％程度あると言われている。然るに本発明の場合では、どの患者と何時にどれくらいに時間応対したかが逐一メモリーに記録されるので漏れなく報告することができるものであって、報酬の欠落を防止することができる。
【００４１】
また、医療現場では患者の取り違えが致命的なミスに繋がるが、本発明では、患者が単に許可者であることを識別するに止まらず、医師等の主ＩＤ要素で患者等の副ＩＤ要素の情報を正確に読取り、表示させ、手術などでの患者の取り違え等の重篤なミスの発生を確実に防止することができる。この場合、その処置に先立って予め主ＩＤ要素にその処置予定の患者の情報を入力しておき、処置に当たって患者の副ＩＤ要素の個人情報と突合せ、不一致の場合警告（音や光等）を発し、一致すればその旨表示するようにしておけば使い勝手が一層向上する。
【００４２】
しかも、本来セキュリティー用に導入された主、副ＩＤ要素をそのまま相手の認識のために使用できるものであるから、汎用のセキュリティシステムをベースにして構築でき、現状のコンピュータに拠る管理システムの上に追加的に構築できるため、ＩＤ要素を採用する領域であればあらゆる施設でソフトを作製すれば採用することが可能であり、トータル管理が行えると共に、経済的である。
【００４３】
従来は一般的に社内の種々の記録は事後的にそれぞれの記憶に基づいて書面で上司に報告し、上司が決済するという書面報告の形態を取っていたが、本発明システムは、ＩＤ要素による対ポイント的なセキュリティチェックのみならず、ＩＤ要素を持つ他の人間との対人的相互チェックを行うことができるものであって、その記録は諸現象の度毎に瞬時に記録できるものである。したがって行動の記録を正確且つ確実に行うことができ、また業務のチェックが行えるから、各人の評価や行動が請求に繋がる場合などにおいても記憶による事後的な処理では欠落しがちなものを正確に補足できるものであって、請求欠落に伴う損失を救済できると共に、記録欠落に起因する２重処理などの無駄も省ける利点があり、ソフトを対応させることにより、一般的な会社、職場から病院などの特殊な職域まで幅広く適用できる。
【図面の簡単な説明】
【００４４】
【図１】本発明の一実施例の概略斜視図。
【図２】同上の主ＩＤ要素の回路図。
【図３】同上のＩＤ要素作製説明図。
【図４】同上の作用形態説明図。
【図５】同上の他の実施例の概略斜視図。
【図６】（ａ）、（ｂ）同上のパターン説明図。
【図７】同上の病院の回診の場合の概略説明図。
【図８】同上のスタッフの事後処理の概略説明図。
【図９】同上の訪問介護の場合の概略説明図。
【図１０】同上の訪問者の行動を記録する場合の概略説明図。
【図１１】同上のデパートでの応用例を示す説明図。
【符号の説明】
【００４５】
１  主ＩＤ要素
２  副ＩＤ要素
【図１】
2007316874.tif 000003
【図２】
2007316874.tif 000004
【図３】
2007316874.tif 000005
【図４】
2007316874.tif 000006
【図５】
2007316874.tif 000007
【図６】
2007316874.tif 000008
【図７】
2007316874.tif 000009
【図８】
2007316874.tif 000010
【図９】
2007316874.tif 000011
【図１０】
2007316874.tif 000012
【図１１】
2007316874.tif 000013